(57)【要約】【課題】ユーザに所定の触感を与えつつ、操作パネルが発生する可聴域ノイズを低減することができる操作入力装置を提供すること。【解決手段】実施形態に係る操作入力装置は、操作部と、駆動部とを備える。操作部は、操作パネルを振動させる振動素子を有し、操作パネルが所定周波数および所定振動量で振動することで操作面に所定の触感が生じる。駆動部は、操作パネルを所定周波数で所定振動量よりも小さく振動させる第１駆動信号、および操作パネルを所定周波数の近傍周波数で振動させる第２駆動信号を振動素子へ入力する。【選択図】図１
2019075059.tif 000002
【特許請求の範囲】
【請求項１】
操作パネルを振動させる振動素子を有し、前記操作パネルが所定周波数および所定振動量で振動することで操作面に所定の触感が生じる操作部と、
前記操作パネルを前記所定周波数で前記所定振動量よりも小さく振動させる第１駆動信号、および前記操作パネルを前記所定周波数の近傍周波数で振動させる第２駆動信号を前記振動素子へ入力する駆動部と
を備えることを特徴とする操作入力装置。
【請求項２】
前記駆動部は、
前記振動素子へ前記第１駆動信号を入力することによる前記操作パネルの振動量と、前記振動素子へ前記第２駆動信号を入力することによる前記操作パネルの振動量との総和を前記所定振動量と同等にする
ことを特徴とする請求項１に記載の操作入力装置。
【請求項３】
前記駆動部は、
前記近傍周波数を当該近傍周波数の音が前記所定周波数の音によって聴感上マスキングされる帯域内の周波数にする
ことを特徴とする請求項１または請求項２に記載の操作入力装置。
【請求項４】
前記所定周波数は、
可聴域より高く、
前記駆動部は、
前記近傍周波数を当該近傍周波数の分数次に相当する周波数の音が前記所定周波数の分数次に相当する周波数の音によって聴感上マスキングされる帯域内の周波数にする
ことを特徴とする請求項１〜３のいずれか一つに記載の操作入力装置。
【請求項５】
前記駆動部は、
前記所定周波数が前記操作パネルの共振周波数と同等の前記第１駆動信号を前記振動素子へ入力し、前記近傍周波数が前記操作パネルの共振帯域内の周波数である前記第２駆動信号を前記振動素子へ出力する
ことを特徴とする請求項１〜４のいずれか一つに記載の操作入力装置。
【請求項６】
前記駆動部は、
前記近傍周波数が前記操作パネルの共振帯域内で前記共振周波数から乖離するほど信号レベルが大きくなる複数の前記第２駆動信号を前記振動素子へ出力する
ことを特徴とする請求項５に記載の操作入力装置。
【請求項７】
前記操作部は、
人体における基底膜の構造を模擬した振動構造を有する
ことを特徴とする請求項１〜６のいずれか一つに記載の操作入力装置。
【請求項８】
前記操作パネルは、
幅および厚さのうち、少なくとも一方が連続的に変化する前記振動構造を有する
ことを特徴とする請求項７に記載の操作入力装置。
【請求項９】
前記操作部は、
幅および厚さのうち、少なくとも一方が連続的に変化するリブが前記操作パネルに設けられる前記振動構造を有する
ことを特徴とする請求項７または請求項８に記載の操作入力装置。
【請求項１０】
前記操作部は、
前記操作パネルと基板とを接着する接着層の剛性が連続的に変化する前記振動構造を有する
ことを特徴とする請求項７〜９のいずれか一つに記載の操作入力装置。
【請求項１１】
前記操作部は、
少なくとも２以上の振動量が異なる前記振動素子が設けられる前記振動構造を有する
ことを特徴とする請求項７〜１０のいずれか一つに記載の操作入力装置。
【請求項１２】
操作面が振動することによって前記操作面に所定の触感を発生させる操作部を備える操作入力装置であって、
前記操作部は、人体における基底膜の構造を模擬した振動構造を有する
ことを特徴とする操作入力装置。
【発明の詳細な説明】
【技術分野】
【０００１】
開示の実施形態は、操作入力装置に関する。
【背景技術】
【０００２】
従来、ユーザによって操作される操作パネルを振動させることによって、入力操作を行うユーザに所定の触感を与える操作入力装置がある（例えば、特許文献１参照）。
【先行技術文献】
【特許文献】
【０００３】
【特許文献１】特開２０１６−１７０７６６号公報
【発明の概要】
【発明が解決しようとする課題】
【０００４】
しかしながら、従来の操作入力装置は、ユーザに所定の触感を与えるために操作パネルを振動させると、操作パネルから可聴域ノイズが発生することがある。操作入力装置は、操作パネルの振動量を抑えることによって可聴域ノイズを低減することは可能であるが、振動量を抑えるとユーザに所定の触感を与えることができなくなる。
【０００５】
実施形態の一態様は、上記に鑑みてなされたものであって、ユーザに所定の触感を与えつつ、操作パネルが発生する可聴域ノイズを低減することができる操作入力装置を提供することを目的とする。
【課題を解決するための手段】
【０００６】
実施形態の一態様に係る操作入力装置は、操作部と、駆動部とを備える。操作部は、操作パネルを振動させる振動素子を有し、前記操作パネルが所定周波数および所定振動量で振動することで操作面に所定の触感が生じる。駆動部は、前記操作パネルを前記所定周波数で前記所定振動量よりも小さく振動させる第１駆動信号、および前記操作パネルを前記所定周波数の近傍周波数で振動させる第２駆動信号を前記振動素子へ入力する。
【発明の効果】
【０００７】
実施形態の一態様に係る操作入力装置は、ユーザに所定の触感を与えつつ、操作パネルが発生する可聴域ノイズを低減することができる。
【図面の簡単な説明】
【０００８】
【図１】図１は、実施形態に係る操作入力装置の説明図である。
【図２Ａ】図２Ａは、実施形態に係る操作パネルの駆動方法の説明図である。
【図２Ｂ】図２Ｂは、実施形態に係る操作パネルの駆動方法の説明図である。
【図３Ａ】図３Ａは、実施形態に係る操作パネルの駆動方法の説明図である。
【図３Ｂ】図３Ｂは、実施形態に係る操作パネルの駆動方法の説明図である。
【図４Ａ】図４Ａは、実施形態に係る駆動方法の変形例の説明図である。
【図４Ｂ】図４Ｂは、実施形態に係る駆動方法の変形例の説明図である。
【図４Ｃ】図４Ｃは、実施形態に係る駆動方法の変形例の説明図である。
【図５Ａ】図５Ａは、実施形態に係る基底膜の応答特性を示す説明図である。
【図５Ｂ】図５Ｂは、実施形態に係る基底膜の構造を模擬した振動構造の応答特性を示す説明図である。
【図６】図６は、実施形態に係る基底膜の構造を模擬した振動構造例の説明図である。
【図７】図７は、実施形態に係る基底膜の構造を模擬した振動構造例の説明図である。
【図８】図８は、実施形態に係る基底膜の構造を模擬した振動構造例の説明図である。
【図９】図９は、実施形態に係る基底膜の構造を模擬した振動構造例の説明図である。
【図１０】図１０は、実施形態に係る基底膜の構造を模擬した振動構造例の説明図である。
【図１１】図１１は、実施形態に係る基底膜の構造を模擬した振動構造例の説明図である。
【図１２】図１２は、実施形態に係る基底膜の構造を模擬した振動構造例の説明図である。
【発明を実施するための形態】
【０００９】
以下、添付図面を参照して、本願の開示する操作入力装置の実施形態を詳細に説明する。なお、以下に示す実施形態によりこの発明が限定されるものではない。図１は、実施形態に係る操作入力装置１の説明図である。
【００１０】
図１に示すように、操作入力装置１は、ユーザが指先Ｆによって操作する操作部２と、操作部２の動作を制御するとともに、ユーザによる操作部２の操作を検知する制御部３とを備える。
【００１１】
操作部２は、表面がユーザによって操作される操作面となる操作パネル２１と、操作パネル２１の裏面に設けられて操作パネル２１を振動させる振動素子２２と、台座２３と、台座２３上で操作パネル２１を保持する保持部材（接着層）２４とを備える。
【００１２】
操作パネル２１は、例えば、支持板４１と、接触センサ４２と、保護層４３とが積層された３層構造となっている。支持板４１は、例えば、平面視矩形状で厚さが均一な樹脂製の板体である。接触センサ４２は、例えば、操作パネル２１の面方向に配置される複数の静電容量式感圧センサを備える。保護層４３は、例えば、ガラス製または樹脂製の薄膜である。
【００１３】
振動素子２２は、例えば、制御部３から入力される駆動信号に応じて振動する圧電素子である。かかる振動素子２２は、例えば、正弦波の駆動信号が入力される場合に、正弦波の周波数で振動することによって操作パネル２１を振動させる。また、振動素子２２は、駆動信号の信号レベルに比例した振動量で振動する。
【００１４】
制御部３は、駆動部３１と、検知部３２とを備える。駆動部３１は、振動素子２２へ駆動信号を入力して振動素子２２を振動させることにより、操作パネル２１を所定周波数および所定振動量で振動させることで操作面に所定の触感を生じさせる。
【００１５】
例えば、駆動部３１は、ユーザが操作パネル２１の操作面上で指先Ｆをスライドさせる操作を行う場合に、操作パネル２１を超音波帯域の周波数で振動させる。これにより操作パネル２１の操作面上にスクイーズ膜が形成される。
【００１６】
スクイーズ膜は、操作パネル２１が超音波帯域の周波数で振動することで、操作面とユーザの指先Ｆとの間に空気が引き込まれることにより形成される薄い空気層である。操作パネル２１は、操作面と指先Ｆとの間にかかるスクイーズ膜を形成することによって、操作面の摩擦抵抗を低減することで、指先Ｆで操作面を操作するユーザにつるつるとした触感を与えることができる。
【００１７】
検知部３２は、接触センサ４２から入力される信号に基づいて、操作パネル２１におけるユーザの操作位置を判定する。接触センサ４２は、前述したように、操作パネル２１の面方向に配置される複数の静電容量式感圧センサを備えており、各静電容量式感圧センサの静電容量に応じた電圧信号を検知部３２へ出力する。かかる接触センサ４２は、ユーザが操作パネル２１を操作すると、操作面におけるユーザの操作位置に対応する位置に配設された静電容量式感圧センサの静電容量が変動する。
【００１８】
したがって、検知部３２は、かかる静電容量が変動した静電容量式感圧センサの配設位置を操作パネル２１における操作位置と判定することができる。検知部３２は、判定した操作パネル２１におけるユーザの操作位置を示す信号を操作入力装置１の操作によって動作が制御される制御対象の装置（図示略）へ出力する。
【００１９】
次に、図２Ａ〜図３Ｂを参照し、実施形態に係る駆動部３１が操作パネル２１を振動させる駆動方法の一例について説明する。図２Ａ〜図３Ｂは、実施形態に係る操作パネル２１の駆動方法の説明図である。
【００２０】
図２Ａに示すように、駆動部３１は、超音波帯域の所定周波数ｆ（以下、「超音波周波数」と記載する）および所定振動量で操作パネル２１を振動させることにより、操作パネル２１の操作面上に前述したスクイーズ膜を形成することができる。これにより、操作入力装置１は、操作パネル２１を操作するユーザに所定のつるつるした触感を与えることができる。
【００２１】
しかしながら、操作入力装置１は、操作パネル２１を超音波周波数で振動させた場合に、超音波周波数の分数次（Ｎ分の１（Ｎは、２以上の整数）、典型的には２分の１、以下では、Ｎ＝２として説明する）に相当する周波数ｆ／２（以下、「分数次周波数」と記載する）の可聴域ノイズ（以下、単に「ノイズ」と記載する）が発生する。図２Ｂに示すように、分数次周波数のノイズは、可聴域の周波数の音であり、ユーザに聞き取られると、ユーザに不快感を与えるため低減する必要がある。
【００２２】
ここで、人間の聴覚は、所定レベルの音が鳴っている場合に、鳴っている音の近傍周波数の音が鳴っても音圧が所定レベル未満であれば反応しない（聞こえない）という特性がある。このため、ユーザは、例えば、分数次周波数のノイズが鳴っている場合、図２Ｂに略放物線状の点線で示す帯域内の音が鳴っても聞き取ることができない。
【００２３】
そこで、駆動部３１は、図３Ａに示すように、操作パネル２１を超音波周波数で所定振動量よりも小さく振動させる第１駆動信号と、操作パネル２１を超音波周波数の近傍周波数で振動させる第２駆動信号とを同時に振動素子２２へ入力する。
【００２４】
ここでの所定振動量は、図２Ａに示す単一の超音波周波数で操作パネル２１を振動させて、操作パネル２１の操作面とユーザの指先Ｆとの間にスクイーズ膜が形成される操作パネル２１の振動量である。
【００２５】
これにより、駆動部３１は、超音波周波数の音圧のピークを図２Ａに示す場合より低減することができ、その結果、分数次周波数のノイズの音圧のピークを図２Ａに示す場合よりも低減することができるので、分数次周波数のノイズを低減することができる。
【００２６】
このとき、駆動部３１は、第１駆動信号を振動素子２２へ入力するだけでは、超音波周波数の音圧が図２Ａに示す場合よりも弱いため、ユーザへ与える触感が弱まるが、第２駆動信号を振動素子２２へ入力することで、弱まった分の音圧を補うことができる。したがって、操作入力装置１は、ユーザに所定の触感を与えることができる。
【００２７】
また、駆動部３１は、振動素子２２へ第１駆動信号を入力することによる操作パネル２１の振動量と、振動素子２２へ第２駆動信号を入力することによる操作パネル２１の振動量との総和を所定振動量と同等にする。
【００２８】
これにより、駆動部３１は、図２Ａに示す単一の超音波周波数で操作パネル２１を振動させて、操作パネル２１の操作面とユーザの指先Ｆとの間にスクイーズ膜が形成される場合と同様の触感をユーザに与えることができる。
【００２９】
また、駆動部３１が操作パネル２１を超音波周波数の近傍周波数で振動させる第２駆動信号を振動素子２２へ入力する場合、図３Ａに示すように、各近傍周波数の分数次に相当する周波数の音が操作パネル２１から発生する。
【００３０】
このため、駆動部３１は、近傍周波数を、近傍周波数の分数次に相当する周波数の音が超音波周波数の分数次に相当する周波数の音によって聴感上マスキングされる帯域内の周波数にする。
【００３１】
これにより、図３Ａに示すように、実際には分数次周波数の近傍周波数の音が鳴っているが、かかる音は、図３Ｂに示すように、分数次周波数の音によって聴感上マスキングされるので、ユーザに聞き取られることがない。したがって、図２Ｂに示す場合に比べてノイズを低減することができる。以上により、所定の触感をユーザに与えつつ、ユーザに不快感を与える可聴音ノイズを低減することができる。
【００３２】
なお、上述した操作パネル２１を振動させる駆動方法は一例であり、駆動部３１が行う操作パネル２１の駆動方法は、これに限定されるものではない。次に、実施形態に係る駆動部３１が操作パネル２１を振動させる駆動方法の変形例について説明する。図４Ａ〜図４Ｃは、実施形態に係る駆動方法の変形例の説明図である。
【００３３】
操作パネル２１は、厚さが均一で平面視矩形状である場合、例えば、図４Ａに略放物線状の実線で示すような固有の応答特性を有する。かかる操作パネル２１は、図４Ａにおける略放物線状の実線が存在する共振帯域の周波数で振動するが、共振帯域外の周波数では効率よく振動することができない。このため、駆動部３１は、操作パネル２１の操作面に所定の触感を生じさせるには、共振帯域内の周波数の駆動信号を振動素子２２へ入力する必要がある。
【００３４】
そこで、駆動部３１は、前述した所定周波数が操作パネル２１の共振周波数と同等の第１駆動信号を振動素子２２へ入力し、近傍周波数が操作パネル２１の共振帯域内の周波数である第２駆動信号を振動素子２２へ入力する。
【００３５】
これにより、駆動部３１は、例えば、共振周波数である超音波周波数の第１駆動信号の信号レベルを低く抑えることで分数次周波数のノイズを低減しつつ、共振周波数の近傍周波数の第２駆動信号によって操作パネル２１の振動量を稼ぐことができる。したがって、操作入力装置１は、ユーザに所定の触感を与えつつ、操作パネル２１が発生するノイズを低減することができる。
【００３６】
また、操作パネル２１は、図４Ａに示す略放物線状の実線のピークに対応する共振周波数の駆動信号が振動素子２２に入力される場合に、駆動信号の信号レベルに対する振動量が最も大きい。また、操作パネル２１は、駆動信号の周波数が共振帯域内で共振周波数から乖離するほど駆動信号の信号レベルに対する振動量が小さくなる。
【００３７】
そこで、駆動部３１は、図４Ｂに示すように、第１駆動信号の周波数である共振周波数の近傍周波数が操作パネル２１の共振帯域内で共振周波数から乖離するほど信号レベルが大きくなる複数の第２駆動信号を振動素子２２へ出力する。
【００３８】
これにより、駆動部３１は、図４Ｃに示すように、共振周波数の近傍周波数の分数次に相当する周波数で操作パネル２１を可能なかぎり大きく振動させることができ、その分、共振周波数での振動量を小さくすることによりノイズを低減することができる。
【００３９】
なお、前述したように、操作パネル２１は、厚さが均一で平面視矩形状である場合、例えば、図４Ａに略放物線状の実線で示すような固有の応答特性を有するが、共振帯域の幅を広げることができれば、分数次周波数のノイズをさらに低減することができる。
【００４０】
具体的には、駆動部３１は、操作パネル２１の共振帯域が広がると、より多くの近傍周波数の第２駆動信号を振動素子２２へ入力し、より多くの近傍周波数で操作パネル２１を振動させることにより、操作パネル２１の振動量をさらに稼ぐことができる。
【００４１】
したがって、操作入力装置１は、共振帯域の幅を広げることができれば、共振周波数での操作パネル２１の振動量をさらに小さくして、ユーザに所定の触感を与えつつ、操作パネル２１が発生するノイズをより一層低減することができる。
【００４２】
そこで、本実施形態では、共振帯域が非常に広い人体における内耳の基底膜の構造を模擬した振動構造を操作部２に採用することによって、操作パネル２１の共振帯域を広げる。これにより、本実施形態では、共振周波数の分数次周波数のノイズをさらに低減することができる。
【００４３】
ここで、図５Ａおよび図５Ｂを参照し、基底膜の応答特性および基底膜の構造を模擬した振動構造の応答特性について説明する。図５Ａは、実施形態に係る基底膜の応答特性を示す説明図である。図５Ｂは、実施形態に係る基底膜の構造を模擬した振動構造の応答特性を示す説明図である。
【００４４】
人の基底膜は、細長い薄膜が螺旋状に巻回した器官であり基端部から先端部へ向けて硬度（変形し難さ）が徐々に小さくなる構造になっている。これにより、基底膜は、人の耳に高周波帯域の音波が到来すると、長手方向の基端部に近い部位が振動する。また、基底膜は、人の耳に中周波帯域の音波が到来すると、長手方向の中央部に近い部位が振動する。人の耳に低周波帯域の音波が到来すると、長手方向の先端部に近い部位が振動する。
【００４５】
このように、基底膜は、加えられる振動の周波数毎に振動する部位が決まっており、図５Ａに示すように、可聴域内の周波数帯域全体にわたって広く均等な応答特性（共振特性）を有する。
【００４６】
そこで、本実施形態では、基底膜の構造を模擬した振動構造を操作部２に採用することによって、後述する操作パネルの共振帯域を図５Ｂに略放物線状の実線で示すように、平面視矩形平板状の操作パネルの共振帯域（図５Ｂに示す略放物線状の点線参照）よりも広くした。
【００４７】
以下、図６〜図１２を参照し、実施形態に係る基底膜の構造を模擬した振動構造例について説明する。図６〜図１２は、実施形態に係る基底膜の構造を模擬した振動構造例の説明図である。
【００４８】
以下の説明では、図６〜図１２に示す構成要素のうち、図１に示す構成要素と同一の構成要素については、図１に示す構成要素と同一の符号を付することにより、その説明を省略する。なお、図６〜図１２では、制御部３の図示を省略している。
【００４９】
まず、図６を参照し、第１構造例に係る操作部２ａについて説明する。図６における上図には、操作部２ａの平面視形状を示している。また、図６の下図には、操作部２ａの側面視形状を示している。
【００５０】
図６の上図に示すように、操作部２ａの操作パネル２１ａは、平面視台形状をしており、平面視における幅が長手方向の一端から他端へ向かうにつれて連続的に広くなる形状である。また、図６の下図に示すように、操作パネル２１ａは、側面視における厚さが均等な平板形状である。
【００５１】
かかる構造により、操作パネル２１ａは、平面視における長手方向の一端から他端へ向かうにつれて硬度が徐々に小さくなり、基底膜の変形特性と類似した変形特性になるので、平面視矩形平板状の操作パネル２１よりも共振周波数を広くすることができる。
【００５２】
なお、図６に示す例では、操作パネル２１ａの平面視における台形の斜辺に相当する端辺が直線となっているが、操作パネル２１ａの平面視における幅が長手方向の一端から他端へ向かうにつれて連続的に広くなる形状であれば端辺が曲線になってもよい。
【００５３】
次に、図７を参照し、第２構造例に係る操作部２ｂについて説明する。図７における上図には、操作部２ｂの平面視形状を示している。また、図７の下図には、操作部２ｂの側面視形状を示している。
【００５４】
操作部２ｂの操作パネル２１ｂは、図７の上図に示すように、平面視矩形状をしており、図７の下図に示すように、長手方向の一端から他端へ向かうにつれて厚さが連続的に薄くなる形状である。なお、操作部２ｂは、一方の保持部材２４ｂ１と、他方の保持部材２４ｂ２の厚さを異ならせることによって、操作パネル２１ｂの操作面を台座２３の面と平行にしている。
【００５５】
かかる構造によっても、操作パネル２１ｂは、平面視における長手方向の一端から他端へ向かうにつれて硬度が徐々に小さくなり、基底膜の変形特性と類似した変形特性になるので、平面視矩形平板状の操作パネル２１よりも共振周波数を広くすることができる。
【００５６】
次に、図８を参照し、第３構造例に係る操作部２ｃについて説明する。図８における上図には、操作部２ｃの平面視形状を示している。また、図８の下図には、操作部２ｃの側面視形状を示している。なお、図８では、振動素子２２の図示を省略したが、操作部２ｃにおいても、他の操作部と同様に操作パネル２１の裏面に振動素子２２が設けられる。
【００５７】
図８の下図に示すように、操作部２ｃの操作パネル２１の裏面には、長手方向の一端から他端へ向かうにつれて厚さが連続的に薄くなるリブ（補強部材）２５が設けられる。かかるリブ２５は、図８の上図に示すように、操作パネル２１の平面視における２つの長辺のそれぞれに沿って設けられる。なお、操作部２ｃは、一方の保持部材２４ｃ１と、他方の保持部材２４ｃ２の厚さを異ならせることによって、操作パネル２１の操作面を台座２３の面と平行にしている。
【００５８】
かかる構造によっても、操作パネル２１は、平面視における長手方向の一端から他端へ向かうにつれて硬度が徐々に小さくなり、基底膜の変形特性と類似した変形特性になるので、平面視矩形平板状の操作パネル２１よりも共振周波数を広くすることができる。
【００５９】
次に、図９を参照し、第４構造例に係る操作部２ｄについて説明する。図９における左図には、操作部２ｄの長辺側の側面視形状を示している。また、図９の右図には、操作部２ｄの短辺側の側面視形状を示している。
【００６０】
なお、図９の左図に示す保持部材２４ｄのハッチングは、保持部材２４ｄの材料の硬度（剛性）を示しており、ハッチングの斜線の間隔が短いほど硬度（剛性）が高いことを示している。図９に示すように、操作部２ｄの保持部材２４ｄは、長手方向の一端から他端へ向かうにつれて硬度（剛性）が徐々に小さくなる。
【００６１】
かかる構造によっても、操作パネル２１は、平面視における長手方向の一端から他端へ向かうにつれて硬度が徐々に小さくなり、基底膜の変形特性と類似した変形特性になるので、平面視矩形平板状の操作パネル２１よりも共振周波数を広くすることができる。
【００６２】
次に、図１０を参照し、第５構造例に係る操作部２ｅについて説明する。図１０における左図には、操作部２ｅの長辺側の側面視形状を示している。また、図１０の右図には、操作部２ｅの短辺側の側面視形状を示している。
【００６３】
図１０に示すように、操作部２ｅは、操作パネル２１の長手方向の一端から他端へ向かう方向に沿って設けられる、複数（ここでは、５つ）の保持部材２４ｅ１，２４ｅ２，２４ｅ３，２４ｅ４，２４ｅ５を備える。
【００６４】
５つの保持部材２４ｅ１，２４ｅ２，２４ｅ３，２４ｅ４，２４ｅ５は、操作パネル２１の長手方向の一端に近いものほど操作パネル２１の長手方向の長さが長い。また、５つの保持部材２４ｅ１，２４ｅ２，２４ｅ３，２４ｅ４，２４ｅ５の間隔は、操作パネル２１の長手方向の他端に近いほど大きい。
【００６５】
かかる構造によっても、操作パネル２１は、平面視における長手方向の一端から他端へ向かうにつれて硬度が徐々に小さくなり、基底膜の変形特性と類似した変形特性になるので、平面視矩形平板状の操作パネル２１よりも共振周波数を広くすることができる。
【００６６】
次に、図１１を参照し、第６構造例に係る操作部２ｆについて説明する。図１１における上図には、操作部２ｆの平面視形状を示している。また、図１１の下図には、操作部２ｆの側面視形状を示している。
【００６７】
図１１の下図に示すように、操作部２ｆの操作パネル２１の裏面には、操作パネル２１の平面視における２つの長辺のそれぞれに沿って一対の振動素子２２ｆ１，２２ｆ２が設けられる。
【００６８】
一対の振動素子２２ｆ１，２２ｆ２のうち、一方の振動素子２２ｆ１は、他方の振動素子２２ｆ２よりも平面視における面積が大きい。これにより、操作パネル２１は、一方の振動素子２２ｆ１が設けられる側の部位が、他方の振動素子２２ｆ２が設けられる部位よりも振動し易くなる。
【００６９】
かかる構造によっても、操作パネル２１は、基底膜の変形特性と類似した変形特性になるので、平面視矩形平板状の操作パネル２１よりも共振周波数を広くすることができる。なお、ここでは、２つの振動素子２２ｆ１，２２ｆ２が設けられるが、３つ以上の振動素子が設けられてもよい。
【００７０】
次に、図１２を参照し、第７構造例に係る操作パネル２１ｇについて説明する。図１２には、操作パネル２１ｇの平面視形状を示している。図１２に示すように、操作パネル２１ｇは、平面視帯状のパネルが渦巻き状に巻回された形状をしている。そして、帯状のパネルは、渦の中心から外周へ向かうにつれて幅が徐々に広くなる形状である。
【００７１】
かかる構造によっても、操作パネル２１ｇは、帯状のパネルが渦の中心から外周へ向かうにつれて硬度が徐々に小さくなり、基底膜の変形特性と類似した変形特性になるので、平面視矩形平板状の操作パネル２１よりも共振周波数を広くすることができる。
【００７２】
なお、上述した実施形態では、例えば、操作パネル２１を超音波周波数で振動させることにより、ユーザの指先Ｆにつるつるとした触感を与える場合について説明したが、本実施形態は、ユーザの指先Ｆにクリック感を与える場合にも適用することができる。
【００７３】
例えば、操作入力装置１は、ユーザが操作パネル２１にタッチした場合に、可聴域の低周波数で操作パネル２１を振動させることによって、ユーザの指先Ｆにクリック感を与えることができる。
【００７４】
このとき、操作パネル２１は、可聴域の振動数で振動するので無駄な音を発生させてしまい、状況によっては、かかる音が周囲に迷惑をかけることがある。そこで、駆動部３１は、ユーザの指先Ｆにクリック感を与える場合にも、前述した駆動方法と同様の駆動方法で操作パネル２１を振動させることにより、発生する音を低減することができる。
【００７５】
具体的には、駆動部３１は、振動量を抑えつつ低周波数の所定周波数で操作パネル２１を振動させる第１駆動信号と、操作パネル２１を所定周波数の近傍周波数で振動させる第２駆動信号とを振動素子２２へ入力する。
【００７６】
このとき、駆動部３１は、近傍周波数を近傍周波数の音が所定周波数の音によって聴感上マスキングされる帯域内の周波数にする。これにより、操作入力装置１は、低周波数の所定周波数で振動する操作パネル２１の振動量を小さくすることにより、操作パネル２１から発生する無駄な音を低減することができる。
【００７７】
また、操作入力装置１は、所定周波数での振動量を低減した分を、所定周波数の近傍周波数での振動量によって補うことによって、操作パネル２１にタッチするユーザの指先Ｆに十分なクリック感を与えることができる。このとき、近傍周波数での振動により発生する音は、所定周波数の音によってマスキングされるので、ユーザや周囲の人に聞き取られることはない。
【００７８】
なお、上述した操作パネル２１の駆動方法は、単独でも十分に効果的であるが、さらに他の駆動方法を併用することによって、操作パネル２１から発生するノイズをさらに低減することが可能である。
【００７９】
例えば、操作入力装置１は、上述した操作パネル２１の駆動方法を実行しつつ、振動素子２２へ入力する第１駆動信号および第２駆動信号の信号レベルを周期的に増減させたり、第１駆動信号および第２駆動信号を間欠的に入力したりする制御を併用してもよい。
【００８０】
操作入力装置１は、かかる制御を行うことにより、単位時間内に操作パネル２１を振動させる総振動時間を短縮することによって、操作パネル２１が発生するノイズをさらに低減することができる。
【００８１】
また、操作入力装置１は、例えば、ユーザが操作パネル２１をタップ操作する場合には、正弦波の駆動信号ではなく、振動素子２２へ矩形波の駆動信号を１発入力することで、ユーザの指先Ｆに重い触感を与える。
【００８２】
そして、操作入力装置１は、ユーザが操作パネル２１上で指先Ｆをスライドさせるスライド操作するときに限って、正弦波の前述した第１駆動信号および第２駆動信号を振動素子２２へ入力して指先Ｆにつるつるとした触感を与える。
【００８３】
これにより、操作入力装置１は、ユーザの指先Ｆにつるつるとした触感を与える頻度（分数次の周波数のノイズが発生する頻度）を減少させることによって、ユーザにノイズを気付かせ難くすることができる。
【００８４】
また、操作入力装置１は、例えば、前述した操作パネル２１の駆動方法を実行しつつ、操作パネル２１から発生するノイズを抑圧する抑圧音を操作パネル２１から発生させる制御を併用してもよい。
【００８５】
例えば、操作入力装置１は、予め行われる実験や演算によって導出された抑圧条件を満たし、ノイズに重畳することでノイズと抑圧音とが相殺されるような抑圧音を操作パネル２１から発生させる。これにより、操作入力装置１は、操作パネル２１が発生するノイズをより一層低減することができる。
【００８６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８７】
１  操作入力装置
２，２ａ，２ｂ，２ｃ，２ｄ，２ｅ，２ｆ  操作部
３  制御部
２１，２１ａ，２１ｂ，２１ｇ  操作パネル
２２，２２ｆ１，２２ｆ２  振動素子
２３  台座
２４，２４ｂ１，２４ｂ２，２４ｃ１，２４ｃ２，２４ｄ，２４ｅ１，２４ｅ２，２４ｅ３，２４ｅ４，２４ｅ５  保持部材
２５  リブ
３１  駆動部
３２  検知部
４１  支持板
４２  接触センサ
４３  保護層
Ｆ  指先
【図１】
2019075059.tif 000003
【図２Ａ】
2019075059.tif 000004
【図２Ｂ】
2019075059.tif 000005
【図３Ａ】
2019075059.tif 000006
【図３Ｂ】
2019075059.tif 000007
【図４Ａ】
2019075059.tif 000008
【図４Ｂ】
2019075059.tif 000009
【図４Ｃ】
2019075059.tif 000010
【図５Ａ】
2019075059.tif 000011
【図５Ｂ】
2019075059.tif 000012
【図６】
2019075059.tif 000013
【図７】
2019075059.tif 000014
【図８】
2019075059.tif 000015
【図９】
2019075059.tif 000016
【図１０】
2019075059.tif 000017
【図１１】
2019075059.tif 000018
【図１２】
2019075059.tif 000019